(57)【特許請求の範囲】
【請求項１】
所定の日時に至った際に現在時刻を所定時間ずらす現在時刻変更手段と、
上記現在時刻変更手段によって現在時刻を所定時間ずらしたときに、そのずらしによって生じた上記所定時間分の請求金額の算出に関わる、請求金額の算出方法を指定する指定手段と、
所定処理が行われた対象時間を求めて、その対象時間に応じた請求金額を時間単位に対応する金額に基づいて求める際に、上記所定処理が上記所定の日時を含んで行われた場合に、上記指定手段によって指定された請求金額の算出方法に合わせ、且つ、上記現在時刻変更手段によってずらした時間に応じた上記対象時間における請求金額を求める請求金額算出手段と、
を具備することを特徴とする請求金額処理装置。
【請求項２】
上記時間単位に対応する金額が複数あり、
上記指定手段によって指定される請求金額の算出方法は、上記所定時間分を、上記複数の時間単位に対応する金額の内で安い方の料金を用いて一律に計算する算出方法を含むことを特徴とする請求項１に記載の請求金額処理装置。
【請求項３】
上記時間単位に対応する金額が複数あり、
上記指定手段によって指定される請求金額の算出方法は、上記所定時間分を、上記対象時間に占める上記所定時間の割合に応じて上記複数の時間単位に対応する金額を用いて計算する算出方法を含むことを特徴とする請求項１に記載の請求金額処理装置。
【請求項４】
上記指定手段によって指定される請求金額の算出方法は、上記所定時間分を、上記時間単位に対応する金額とは異なる予め決められた金額を用いて計算する算出方法を含むことを特徴とする請求項１に記載の請求金額処理装置。
【請求項５】
所定処理が行われた対象時間を求めて、その対象時間に応じた請求金額を、時間単位に対応する金額に基づいて求める際に、
現在時刻を所定時間ずらす所定の日時に至った時に、その現在時刻の所定時間のずらしによって生じる上記所定時間分の請求金額の算出に関わる、請求金額の算出方法を指定する処理と、
上記所定処理が上記所定の日時を含んで行われた場合に、上記指定された請求金額の算出方法に合わせ、且つ、上記ずらした所定時間に応じた上記対象時間における請求金額を求める処理と、
をコンピュータに実行させる命令を含むプログラムを格納した、コンピュータが読み取り可能な記録媒体。
【発明の詳細な説明】
【０００１】
【発明の属する技術分野】
本発明は、時間に応じて請求金額を求める請求金額処理装置、及び、そのような請求金額処理装置の動作をコンピュータに実行させる命令を含むプログラムを格納したコンピュータが読み取り可能な記録媒体に関する。
【０００２】
【従来の技術】
従来より、各種店舗で、電子式キャッシュレジスタやＰＯＳ（ポイントオブセールス）ターミナル等の売上データ処理装置が使用されている。
【０００３】
また、そのような売上データ処理装置の一つとして、時間料金計算用の売上データ処理装置も知られている。
【０００４】
これは、例えば、駐車場やカラオケボックスのように、客の利用時間に従って料金が計算される業種で使用されるている。即ち、そのような業種で使用される時間料金計算用の売上データ処理装置は、基本時間で一定の料金、追加時間で別の一定の料金をプリセットでき、客の入場時間と出場時間を与えられるだけで、自動的に料金計算を行うように構成されている。
【０００５】
また、アルバイトやパート契約の従業員のように勤務時間に応じた賃金を支払う店舗等では、更に勤怠管理機能を備える売上データ処理装置が利用されている。これは、キーボード上の各担当者を識別することができるキー（以下、クラークＳＷと称する）を押下することにより、押下時の時間を記録し、その時間から従業員（クラーク）の勤務時間を計算し、従業員の勤怠管理を行なえるようにしたものである。
【０００６】
【発明が解決しようとする課題】
ところで、周知のように、我が国を除いた多くの先進諸国では、省エネルギー推進を目的として、夏季に生活時間を一斉に１時間程度早めるサマータイムが導入されている。そこで、そのようなサマータイムを導入している地域では、その切替日時に、計時手段で計時されている現在日時をずらす必要がある。
【０００７】
しかしながら、上記したような駐車場利用や勤労等の所定処理の時間に応じて料金や賃金等の請求金額を求める売上データ処理装置は、そのようなサマータイムの切替えが発生した時に、そのサマータイムの実施による時間の誤差を補正する機能を備えていないため、正確な請求金額を求めることができないという問題を有している。
【０００８】
本発明の課題は、サマータイムの実施に対応して正確な請求金額を求めることができるようにすることである。
【０００９】
【課題を解決するための手段】
請求項１の発明の手段は次の通りである。
現在時刻変更手段は、所定の日時に至った際に現在時刻を所定時間ずらす。
指定手段は、上記現在時刻変更手段によって現在時刻を所定時間ずらしたときに、そのずらしによって生じた上記所定時間分の請求金額の算出に関わる、請求金額の算出方法を指定する。
請求金額算出手段は、所定処理が行われた対象時間を求めて、その対象時間に応じた請求金額を時間単位に対応する金額に基づいて求める際に、上記所定処理が上記所定の日時を含んで行われた場合に、上記指定手段によって指定された請求金額の算出方法に合わせ、且つ、上記現在時刻変更手段によってずらした時間に応じた上記対象時間における請求金額を求める。
【００１０】
また、請求項５の発明の手段は次の通りである。
コンピュータが読み取り可能な記録媒体は、所定処理が行われた対象時間を求めて、その対象時間に応じた請求金額を、時間単位に対応する金額に基づいて求める際に、以下の処理をコンピュータに実行させる命令を含むプログラムを格納する。
第１の処理は、現在時刻を所定時間ずらす所定の日時に至った時に、そのずらしによって生じる上記所定時間分の請求金額の算出に関わる、請求金額の算出方法を指定する処理である。
第２の処理は、上記所定処理が上記所定の日時を含んで行われた場合に、上記指定された請求金額の算出方法に合わせ、且つ、上記ずらした所定時間に応じた上記対象時間における請求金額を求める処理である。
【００１１】
請求項１及び請求項５の発明の手段の作用は次の通りである。
所定処理（例えば、駐車場利用）が行われた対象時間を求めて、その対象時間に応じた請求金額を、時間単位に対応する金額に基づいて求める場合に、上記所定処理がサマータイム切替日である所定の日時を含んで行われたときには、請求金額の算出方法（例えば、後述するような基本料金、分割料金、特別料金）に合わせ、且つ、サマータイム切替によってずらした時間に応じて請求金額を求める。
従って、サマータイムの実施に対応して正確な請求金額を求めることができるようになる。
【００１５】
【発明の実施の形態】
以下、本発明の実施の形態を図１の（Ａ）乃至図９の（Ｂ）を参照して説明する。
【００１６】
［第１の実施の形態］
図１の（Ａ）は、本発明の第１の実施の形態に係る請求金額処理装置の適用された売上データ処理装置としての電子式キャッシュレジスタの構成を示す図である。なお、本第１の実施の形態は、駐車場で利用する場合の例である。
【００１７】
同図において、ＣＰＵ１０は、ＲＡＭ１２内にロードされている各種プログラムに従ってこの電子式キャッシュレジスタの全体動作を制御する中央演算装置である。記憶装置１４は、オペレーティングシステムや各種アプリケーションプグラム、データファイル、文字フォントデータ等が予め格納されている記憶媒体１６やその駆動系を有している。この記憶媒体１６は固定的に設けたもの、もしくは着脱自在に装着可能なものであり、フロッピーディスク、ハードディスク、光ディスク、ＲＡＭカード等の磁気的・光学的記憶媒体、半導体メモリによって構成されている。また、記憶媒体１６内のプログラムやデータは、必要に応じてＣＰＵ１０の制御により、ＲＡＭ１２にロードされる。更に、ＣＰＵ１０は、伝送制御部１８により、通信回線２０等を介して他の機器側から送信されてきたプログラム、データを受信して記憶媒体１６に格納したり、他の機器側に設けられている記憶媒体に格納されているプログラム、データを通信回線２０等を介して使用することもできる。
【００１８】
ＣＰＵ１０には、その入出力周辺デバイスである入力装置２２、表示装置２４、印刷装置２６、ドロア２８、カード発行機３０がバスラインを介して接続されており、入出力プログラムに従ってＣＰＵ１０はそれらの動作を制御する。
【００１９】
図１の（Ｂ）は、上記ＲＡＭ１２の主要構成を示した図で、現在時刻データメモリ１２Ａ、料金体系データメモリ１２Ｂ、基本料金データメモリ１２Ｃ、深夜料金データメモリ１２Ｄ、特別料金データメモリ１２Ｅ、サマータイム切替日時データメモリ１２Ｆ、時間帯切替時刻エリア１２Ｇ、メッセージ印字バッファ１２Ｈ、合計料金エリア１２Ｉ、ワークエリア１２Ｊ、等、各種のメモリ領域が割り当てられている。
【００２０】
ここで、現在時刻データメモリ１２Ａは、ＣＰＵ１０内に構成した図示しない時計による計時に応じて現在日時を記憶するものである。
【００２１】
料金体系データメモリ１２Ｂは、指定された料金体系を記憶するものである。本実施の形態では、基本料金体系、分割料金体系、及び特別料金体系の３種類の料金体系が指定可能となっている。各料金体系の詳細については後述する。
【００２２】
基本料金データメモリ１２Ｃは、３０分や１時間といった所定時間あたりの料金を記憶するものである。また、深夜料金データメモリ１２Ｄは、例えば夜１０時から翌朝６時までといった所定の深夜時間帯に適用される深夜料金を記憶するものであり、この深夜料金は、上記基本料金データメモリ１２Ｃに記憶された料金に対して割増或いは割引の料金となっている。一方、特別料金データメモリ１２Ｅは、上記特別料金体系の指定時に用いられる料金を記憶するものである。
【００２３】
サマータイム切替日時データメモリ１２Ｆは、サマータイムの切替日時を記憶するものである。これは、図１の（Ｃ）に示すように、夏時間から冬時間へ切替える日時のデータを記憶する夏から冬への切替月日・時分秒エリア１２Ｆ１とそのときのどれだけ時間をずらすかを記憶する切替時間エリア１２Ｆ２、逆に、冬時間から夏時間へ切替える日時のデータを記憶する冬から夏への切替月日・時分秒エリア１２Ｆ３とそのときのどれだけ時間をずらすかを記憶する切替時間エリア１２Ｆ４からなる。
【００２４】
時間帯切替時刻エリア１２Ｇは、通常時間帯と深夜時間帯がそれぞれ何時から何時までであるかを記憶するものであり、図１の（Ｄ）に示すように、通常時間帯開始時刻と終了時刻エリア１２Ｇ１と、深夜時間帯開始時刻と終了時刻エリア１２Ｇ２とからなる。
【００２５】
メッセージ印字バッファ１２Ｈは、印刷装置２６でレシートに印字するべきメッセージを記憶するものである。
【００２６】
合計料金エリア１２Ｉは、算出した請求金額を記憶するものである。
【００２７】
そして、ワークエリア１２Ｊは、ＣＰＵ１０が各種処理を実行する際に、各種データを保持するのに使用されるものである。
【００２８】
次に、このような構成における動作を、図２のメインフローチャートを参照して説明する。なおここで、このフローチャートに記述されている各機能を実現するためのプログラムは、ＣＰＵ１０が読み取り可能なプログラムコードの形態で記憶媒体１６に記憶されており、その内容がＲＡＭ１２にロードされている。なお、後述する他のフローチャートにおいても同様である。
【００２９】
即ち、まず、入力装置２２からの入力の有無を判別し（ステップＳ１０）、何も入力が無いならば、サマータイムの切替処理を実行して（ステップＳ１２）、上記ステップＳ１０に戻る。ここで、サマータイム切替処理とは、現在時刻データメモリ１２Ａに記憶されている現在日時とサマータイム切替日時データメモリ１２Ｆに記憶されている切替日時とを比較し、切替日時になったときに、切替時間エリア１２Ｆ２又は１２Ｆ４に記憶されている時間だけ現在時刻データメモリ１２Ａに記憶されている現在日時を変更する処理である。
【００３０】
これに対して、入力装置２２から入力があったならば、まず、それが駐車券の発行の指定の入力であるか否かを判別する（ステップＳ１４）。そして、そうであれば、カード発行機２６により、現在時刻を記録した駐車券を発行して（ステップＳ１６）、上記ステップＳ１０に戻る。このように、客は入庫時に入庫時刻を記録したカードを発行して駐車場に入る。
【００３１】
また、入力装置２２からの入力が駐車券の発行指定でない場合には、出庫のために駐車券から読み取った入庫時刻の入力であるか否かを判別する（ステップＳ１８）。そうでない場合には、更に、料金体系の指定入力であるかどうかを判別する（ステップＳ２０）。そして、料金体系の指定入力であれば、その指定された料金体系を料金体系データメモリ１２Ｂに記憶設定して（ステップＳ２２）、上記ステップＳ１０に戻る。また、料金体系の指定入力でもない場合には、その他の指定に応じた処理を行なってから（ステップＳ２４）、上記ステップＳ１０に戻る。
【００３２】
これに対して、上記ステップＳ１８で、入庫時刻の入力であると判別した場合には、駐車料金算出処理を実行して（ステップＳ２６）、上記ステップＳ１０に戻る。即ち、客が帰るときには、上記ステップＳ１６で発行された駐車券を出庫側に設置された該電子式キャッシュレジスタのオペレータに渡し、オペレータがその駐車券に印字された入庫時刻を該電子式キャッシュレジスタに入力して、料金精算キーを操作すると、料金を求めレシートを発行する駐車料金算出処理が実行される。
【００３３】
この駐車料金算出処理においては、図３に示すように、まず、現在時刻データメモリ１２Ａに記憶されている現在時刻から入力装置２２により入力された入庫時刻を減じることで、駐車時間を算出する（ステップＳ３０）。その後、サマータイム切替日時データメモリ１２Ｆを参照して、現在時刻がサマータイム切替日に相当するか否かを判別する（ステップＳ３２）。ここで、サマータイム切替日でなければ、時間帯切替時刻エリア１２Ｇを参照して、現在時刻が深夜時間帯であるか否かを判別する（ステップＳ３４）。そして、深夜時間帯でない場合には、基本料金データメモリ１２Ｃに記憶されている基本料金を使用して、上記ステップＳ３０で算出した駐車時間分の料金を計算してワークエリア１２Ｊに一時記憶し（ステップＳ３６）、メッセージ印字バッファ１２Ｈに「基本料金」というメッセージをセットする（ステップＳ３８）。また、現在時刻が深夜時間帯である場合には、上記ステップＳ３０で算出した駐車時間のうち、通常時間帯分については基本料金データメモリ１２Ｃに記憶されている基本料金を使用して料金を計算し、深夜時間帯分については深夜料金データメモリ１２Ｄに記憶されている深夜料金を使用して料金を計算して、それぞれワークエリア１２Ｊに一時記憶し（ステップＳ４０）、メッセージ印字バッファ１２Ｈに「深夜料金」というメッセージをセットする（ステップＳ４２）。こうして、上記ステップＳ３８又はステップＳ４２でメッセージ印字バッファ１２Ｈにメッセージをセットした後、印刷装置２６でのレシート印字発行、ワークエリア１２Ｊに一時記憶した料金を合計して合計料金エリア１２Ｉに記憶する合計更新などの締め処理を実行して（ステップＳ４４）、メインフローチャートの処理に戻る。
【００３４】
これに対して、上記ステップＳ３２において、現在時刻がサマータイム切替日であると判別されたときには、更に、駐車時間帯が切替時間帯にかかっているか否かを判別する（ステップＳ４６）。ここで、駐車時間帯が切替時間帯に入っていなければ、上記ステップＳ３４に進んで、前述の処理を実行する。しかしながら、駐車時間帯が切替時間帯に入っている場合には、料金体系データメモリ１２Ｂを参照して、指定されている料金体系を判別する（ステップＳ４８）。
【００３５】
料金体系が基本料金体系の場合は、基本料金データメモリ１２Ｃに記憶されている基本料金と深夜料金データメモリ１２Ｄに記憶されている深夜料金とを比較し（ステップＳ５０）、基本料金の方が安ければ上記ステップＳ３６に、深夜料金の方が安ければ上記ステップＳ４０に進む。例えば、図４の（Ａ）に示すように、深夜料金の時間帯の開始時刻が深夜２４時であり、サマータイムの切替により時刻が１時間戻された場合、この２４時と切替後の０時までの間の１時間分の駐車料金は、基本料金と深夜料金のうち安い方の料金を採用して一律に計算するものである。
【００３６】
また、料金体系が分割料金体系の場合は、まず、上記ステップＳ３０で算出した駐車時間から切替時間と通常時間とを求め、それぞれの割合を求める（ステップＳ５２）。ここで、通常時間＝駐車時間−切替時間であり、切替時間の割合は駐車時間÷切替時間で算出し、通常時間の割合は駐車時間÷通常時間で算出する。そして、通常時間帯分については基本料金を使用して料金を計算し、切替時間については、図４の（Ｂ）に示すように、上記割合に応じて基本料金と深夜料金を使用して料金を計算して、それぞれワークエリア１２Ｊに一時記憶し（ステップＳ５４）、メッセージ印字バッファ１２Ｈに「分割料金」というメッセージをセットする（ステップＳ５６）。その後、現在時刻が深夜時間帯であるか否かを判別し（ステップＳ５８）、深夜時間帯でない場合には上記ステップＳ４４に進む。また、深夜時間帯であれば、その上記ステップＳ３０で算出した駐車時間のうち、深夜時間分を求めて（ステップＳ６０）、上記ステップＳ４０に進む。
【００３７】
一方、料金体系が特別料金体系の場合は、図４の（Ｃ）に示すように、その切替時間帯に対しては、特別料金データメモリ１２Ｅに記憶された特別料金を使用して料金を計算してワークエリア１２Ｊに一時記憶し（ステップＳ６２）、メッセージ印字バッファ１２Ｈに「特別料金」というメッセージをセットした後（ステップＳ６４）、上記ステップＳ４４に進む。
【００３８】
なお、上記駐車時間帯が切替時間帯にかかっている場合には、上記ステップＳ３０で算出した駐車時間を、サマータイム切替によりずらされた時間分、補正することは勿論である。
【００３９】
以上のような処理を行うとにより、サマータイムの切替の際には、図５に示すようなレシートが発行されることになる。なお、同図中に下線を引いて示した「基本料金」の部分が、上記料金体系に応じてメッセージ印字バッファ１２Ｈに記憶されることで、書き換えられるものである。
【００４０】
なお、本実施の形態では、基本料金と深夜料金という分け方の例を説明したが、例えば、２時間の基本料金とそれ以降の追加料金というようにしても良い。また、駐車場に限らず、カラオケボックス等、客の利用時間に従って料金が計算される業種で使用されるものであれば、どのようなものにも対応可能である。
【００４１】
［第２の実施の形態］
次に、本発明の第２の実施の形態を説明する。
【００４２】
本第２の実施の形態は、アルバイトやパート契約の従業員のように勤務時間に応じた賃金を支払う店舗等で用いられる勤怠管理機能を備える売上データ処理装置に適用した場合の例である。
【００４３】
即ち、本第２の実施の形態に係る請求金額処理装置の適用された売上データ処理装置としての電子式キャッシュレジスタの構成は、上記第１の実施の形態におけるそれからカード発行機を除いたものであり、よって、特に図示はしない。
【００４４】
本第２の実施の形態においては、ＲＡＭ１２は、図６の（Ａ）に示すように、現在時刻データメモリ１２Ａ、サマータイム切替日時データメモリ１２Ｆ、担当者別勤怠データメモリ１２Ｋ、補正時間エリア１２Ｌ、ワークエリア１２Ｊ、等を備えている。
【００４５】
ここで、現在時刻データメモリ１２Ａ、サマータイム切替日時データメモリ１２Ｆ、及びワークエリア１２Ｊは、上記第１の実施の形態のそれと同様のものであるので、その説明は省略する。
【００４６】
担当者別勤怠データメモリ１２Ｋは、図６の（Ｂ）に示すように、各クラークの氏名、出勤時間、退勤時間、及び勤務時間を記憶するものである。
【００４７】
また、補正時間エリア１２Ｌは、サマータイム切替に応じて従業員の勤務時間に加えるべき補正時間を記憶しているものである。
【００４８】
このような構成において、クラークが入力装置２２の各クラークを識別することができるクラークＳＷを操作すると、図７に示すような動作が行なわれる。即ち、まず、当該クラークＳＷの操作入力がＯＮ操作つまり出勤であるのか否かを判別する（ステップＳ１００）。そして、出勤の場合には、現在時刻データメモリ１２Ａに記憶されている現在時刻を出勤時間として、担当者別勤怠データメモリ１２Ｋの当該クラークに対応するエリアに記憶して（ステップＳ１０２）、この動作を終える。
【００４９】
これに対して、クラークＳＷの操作入力がＯＦＦ操作つまり退勤であった場合には、現在時刻データメモリ１２Ａに記憶されている現在時刻を退勤時間として、担当者別勤怠データメモリ１２Ｋの当該クラークに対応するエリアに記憶する（ステップＳ１０４）。その後、上記現在時刻から上記担当者別勤怠データメモリ１２Ｋに記憶された当該クラークの出勤時間を減算することで勤務時間を算出し、それをワークエリア１２Ｊに一時記憶しておく（ステップＳ１０６）。そして、サマータイム切替日時データメモリ１２Ｆを参照して、上記出勤時間と退勤時間との間にサマータイムの切替があったか否かを判別し（ステップＳ１０８）、無ければ、上記ワークエリア１２Ｊに一時記憶した勤務時間を、担当者別勤怠データメモリ１２Ｋの当該クラークに対応するエリアに記憶して（ステップＳ１１０）、この動作を終える。
【００５０】
また、上記出勤時間と退勤時間との間にサマータイムの切替があった場合には、上記ワークエリア１２Ｊに一時記憶した勤務時間に、補正時間エリア１２Ｌに記憶されている補正時間を加えることで、勤務時間を補正し（ステップＳ１１２）、その補正された勤務時間を、上記ステップＳ１１０で、担当者別勤怠データメモリ１２Ｋの当該クラークに対応するエリアに記憶することになる。
【００５１】
そして、例えば管理者が、入力装置２２により、勤怠レポート出力を指定すると、図８に示すようなレポート出力動作が行なわれて、印刷装置２６よりレポートが印字出力される。
【００５２】
即ち、まず、現在時刻データメモリ１２Ａに記憶されている現在時刻に従って日付を印字し、また、担当者別勤怠データメモリ１２Ｋより出力指定の行なわれたクラークの名前を読み出して印字する（ステップＳ１２０）。次に、担当者別勤怠データメモリ１２Ｋより当該クラークの出勤時間及び退勤時間を読み出して印字する（ステップＳ１２２）。例えば、図９の（Ａ）に示すように、８時に出勤し１７時に退勤した場合、図９の（Ｂ）に示すように、それぞれの時間が印字される。また、上記読み出した出勤時間と退勤時間の差を演算して、労働時間を印字する（ステップＳ１２４）。
【００５３】
従来であれば、この労働時間と時給より給与（請求金額）を求めて印字するため、図９の（Ｂ）中の左側に示すように、サマータイムの実施により１時間余分に働いたにもかかわらず、その分が加味されない給与が算出され、印字されてしまうようになっていた。これに対して、本実施の形態では、更に、以下の処理を続けることにより、図９の（Ｂ）中の右側に示すように正確な給与が算出されて、印字されるようになる。
【００５４】
即ち、上記労働時間の印字に続けて、補正時間エリア１２Ｌに記憶されているサマータイム時間の補正値を印字し（ステップＳ１２６）、また担当者別勤怠データメモリ１２Ｋより当該クラークの勤務時間を読み出して、それを補正後労働時間として印字する（ステップＳ１２８）。そして、その補正後の労働時間に時給を乗じることにより給料を算出し（ステップＳ１３０）、時給と給与を印字する（ステップＳ１３２）。
【００５５】
以上実施の形態に基づいて本発明を説明したが、本発明は上述した実施の形態に限定されるものではなく、本発明の要旨の範囲内で種々の変形や応用が可能なことは勿論である。
【００５６】
例えば、各担当者の担当者別勤怠データを端末からセンタ装置に収集して、各担当者毎に図８の処理を行なわせ図９の（Ｂ）に示すような勤怠管理レポートを担当者別に印字するようにしても良い。また、勤怠管理レポートのデータは、センタ装置で作成し、そのデータを端末に送信して担当者別に印字するようにしても良い。
【００５７】
【発明の効果】
本発明によれば、サマータイムの実施に対応して正確な請求金額を求めることができる。
【図面の簡単な説明】
【図１】（Ａ）は本発明の第１の実施の形態に係る請求金額処理装置の適用された売上データ処理装置としての電子式キャッシュレジスタの構成を示す図、（Ｂ）は（Ａ）中のＲＡＭの主要構成を示した図、（Ｃ）は（Ｂ）中のサマータイム切替日時データメモリの構成を示す図であり、（Ｄ）は（Ｂ）中の時間帯切替時刻エリアの構成を示す図である。
【図２】図１の（Ａ）の電子式キャッシュレジスタの動作を説明するためのメインフローチャートを示す図である。
【図３】図２中の駐車料金算出処理のフローチャートを示す図である。
【図４】（Ａ）は基本料金体系の場合における切替時間の料金算出方法を説明するための図、（Ｂ）は分割料金体系の場合における切替時間の料金算出方法を説明するための図であり、（Ｃ）は特別料金体系の場合における切替時間の料金算出方法を説明するための図である。
【図５】レシートの印字例を示す図である。
【図６】（Ａ）は本発明の第２の実施の形態に係る請求金額処理装置の適用された売上データ処理装置としての電子式キャッシュレジスタにおけるＲＡＭの主要構成を示した図であり、（Ｂ）は（Ａ）中の担当者別勤怠データメモリの構成を示す図である。
【図７】クラークＳＷの操作入力に応じた動作を説明するためのフローチャートを示す図である。
【図８】勤怠レポート出力指定に応じた動作を説明するためのフローチャートを示す図である。
【図９】（Ａ）はクラークの勤務時間とサマータイム実施時の時間との関係を示す図であり、（Ｂ）はレポートの出力例を示す図である。
【符号の説明】
１０      ＣＰＵ
１２      入力装置
１２      ＲＡＭ
１２Ａ      現在時刻データメモリ
１２Ｂ      料金体系データメモリ
１２Ｃ      基本料金データメモリ
１２Ｄ      深夜料金データメモリ
１２Ｅ      特別料金データメモリ
１２Ｆ      サマータイム切替日時データメモリ
１２Ｆ１      夏から冬への切替月日・時分秒エリア
１２Ｆ２,１２Ｆ４      切替時間エリア
１２Ｆ３      冬から夏への切替月日・時分秒エリア
１２Ｇ      時間帯切替時刻エリア
１２Ｇ１      通常時間帯開始時刻と終了時刻エリア
１２Ｇ２      深夜時間帯開始時刻と終了時刻エリア
１２Ｈ      メッセージ印字バッファ
１２Ｉ      合計料金エリア
１２Ｊ      ワークエリア
１２Ｋ      担当者別勤怠データメモリ
１２Ｌ      補正時間エリア
１４      記憶装置
１６      記憶媒体
１８      伝送制御部
２０      通信回線
２２      入力装置
２４      表示装置
２６      カード発行機
２６      印刷装置
【図１】
0003931535.tif 000002
【図２】
0003931535.tif 000003
【図３】
0003931535.tif 000004
【図４】
0003931535.tif 000005
【図５】
0003931535.tif 000006
【図６】
0003931535.tif 000007
【図７】
0003931535.tif 000008
【図８】
0003931535.tif 000009
【図９】
0003931535.tif 000010